(57)【特許請求の範囲】
【請求項１】
複写機と撮影装置を有し、複写機の使用者を撮影装置を用いて撮影する複写機管理システムにおいて、
前記複写機は、原稿台もしくは自動原稿送り装置に原稿がセットされたことを検知する原稿検知手段を有し、
複写機の使用に際して使用者により必然的になされる行為に基く所定のタイミングである、前記原稿検知手段が原稿を検知したタイミングにて撮影を行うことを特徴とする複写機管理システム。
【請求項２】
複写機と撮影装置を有し、複写機の使用者を撮影装置を用いて撮影する複写機管理システムにおいて、
前記複写機は、原稿カバーの開閉状態を検知する原稿カバー開閉検知手段を有し、
複写機の使用に際して使用者により必然的になされる行為に基く所定のタイミングである、前記原稿カバー開閉検知手段の検出結果が開状態から閉状態に変化したタイミングにて撮影を行うことを特徴とする複写機管理システム。
【請求項３】
前記撮影装置が静止画を撮影する装置である請求項１または２に記載の複写機管理システム。
【発明の詳細な説明】
【０００１】
【発明の属する技術分野】
この発明は、不正コピーを行った複写機の使用者を特定するために、複写機の使用者を撮影装置を用いて撮影する複写機管理システムに関する。
【０００２】
【従来の技術】
この種の複写機管理システムとして、特開平７−４４７７７号に記載されているように、複写しようとする原稿が特定の条件を満たすか否か、例えば紙幣、有価証券等の複写禁止原稿であるか否かを複写機側で判断するとともに、複写禁止原稿であると判断した場合には、監視カメラを作動させてその複写機の使用者を撮影するようにしたシステムが提供されている。
【０００３】
また、一般の防犯カメラシステムと同様に、複写機が使用されているか否かにかかわらず監視カメラを常時作動させておくことも提案されている。
【０００４】
【発明が解決しようとする課題】
しかしながら、前者の複写機管理システムでは、特定の条件を満たす原稿であることを複写機が判断した場合にしか撮影を行わないため、違法コピーであるにもかかわらず条件満足を判断されなかったときには撮影が行われず、従って使用者の特定のための有効な情報が欠落する場合があるという欠点があった。
【０００５】
一方、後者の常時作動システムでは、複写機の使用時以外も撮影されるため、無駄な情報が多いうえ、撮影データが大量になり、使用者の特定作業やビデオの管理が厄介であるという欠点があった。
【０００６】
この発明は、このような欠点を解消するためになされたものであって、複写機の使用者に関する情報の欠落を防止するとともに、無駄な情報を少なくして効率の良い撮影を行うことのできる複写機管理システムの提供を課題とする。
【０００７】
【課題を解決するための手段】
上記課題は、複写機と撮影装置を有し、複写機の使用者を撮影装置を用いて撮影する複写機管理システムにおいて、複写機の使用に際して使用者により必然的になされる行為に基く所定のタイミングにて撮影を行うことを特徴とする複写機管理システムによって解決される。
【０００８】
このシステムによれば、使用者が複写機を使用するときには、それが不正コピーであるか否かを問わず確実に撮影が行われる。その結果、使用者全てについて撮影が行われ、使用者に関する情報の欠落がなくなる。
【０００９】
また、複写機使用時の所定のタイミングで撮影を行うから、常時撮影装置を作動させておく場合にくらべて、有効な撮影データが少ない量で効率的に得られ、使用者の特定作業や撮影データの管理が簡単になる。
【００１０】
上記において、所定のタイミングが、原稿検知手段が原稿台もしくは自動原稿送り装置に原稿がセットされたことを検知したタイミングであるから、使用者が原稿台もしくは自動原稿送り装置に原稿をセットしたときに、撮影が行われる。
【００１１】
また、所定のタイミングが、原稿カバー開閉検知手段の検出結果が開状態から閉状態に変化したタイミングであるから、使用者が原稿カバーを開いて原稿台に原稿をセットしたのち原稿カバーを閉じたときに、撮影が行われる。
【００１２】
撮影装置は、デジタルカメラのような静止画を撮影する装置であっても、ビデオカメラのような動画を撮影する装置であっても良い。静止画を撮影する装置である場合には、動画を撮影する装置にくらべて、保存すべき撮影データも少なくなて済む。
【００１３】
【発明の実施の形態】
図１は、この発明の一実施形態に係る複写機管理システムの全体構成を示すブロック図である。
【００１４】
この複写機管理システムは、複写機１と、撮影装置２と、コインベンダー装置３と、人体検知センサー４と、モニター装置５とを備える。
【００１５】
前記複写機１は機構部１１、制御部１２、原稿検知センサー１３、原稿カバー開閉検知センサー１４、プリントキー１５、時計ＩＣ１６を含む。
【００１６】
前記機構部１１は、原稿の画像をスキャナーによって露光走査し、その反射光をイメージセンサにて光電変換したのち、得られた信号を画像処理して出力するイメージリーダー部１１ａと、イメージリーダー部１１ａから送られてきた画像信号に基いてプリントを行うプリンタ部１１ｂを含む。プリンタ部１１ｂは図示しない作像部、現像ユニット、給紙部等を含む。
【００１７】
前記制御部１２は、複写機全体さらには本システム全体を制御するＣＰＵ１２ａと、ＲＯＭ１２ｂと、インターフェース部１２ｃを含む。ＲＯＭ１２ｂには、紙幣等の複写禁止原稿の特徴的ないくつかの部分の画像パターンが記憶されている。
【００１８】
前記原稿検知センサー１３は、図示しない原稿台（原稿ガラス）または自動原稿送り装置（ＡＤＦ）にセットされた原稿を検知するものであり、前記原稿カバー開閉検知センサー１４は、原稿カバーの開閉を検知するものであり、前記プリントキー１５は、複写開始に際して押し操作されるものであり、いずれもインターフェース部１２ｃを介してＣＰＵ１２ａに信号を送る。これらの原稿検知センサー１３、原稿カバー開閉検知センサー１４、プリントキー１５は、公知の構成を採用すればよい。
【００１９】
前記時計ＩＣ１６はカレンダー機能を備え、これによりＣＰＵ１２ａを介して撮影日時を特定できるようになっている。
【００２０】
前記撮影装置２は、静止画を撮影するデジタルカメラ２１とこれを制御するデジタルカメラ制御部２２とを備え、デジタルカメラ制御部２２からの指令に基いてデジタルカメラ２１は撮影を開始する。
【００２１】
前記コインベンダー装置３は、使用者が使用料金を投入するコインベンダー本体３１と、これを制御するコインベンダー制御部３２とを含み、コインベンダー本体３１に料金が投入されるとコインベンダー制御部３２はインターフェース部１２ｃを介してＣＰＵ１２ａに信号を送る。このコインベンダー装置３に所定の料金が投入されたことで複写機１は複写可能状態となる。
【００２２】
前記人体検知センサー４は、複写機１またはその近傍に設けられており、複写機１の使用者が該センサの検出範囲内に進入したときに、これを検知して信号を出力する。人体検知センサ４としては、例えば、使用者が複写機１の前に立った時にこれを検出するように、複写機１に取り付けた反射形の光センサ、超音波センサや、複写機１の前の床面に配置し、使用者が踏むことで信号を出力する床置き型の圧力センサを例示できる。
【００２３】
前記モニター装置５は、複写機１の管理者がデジタルカメラ２１で撮影した画像をモニターするモニターテレビ５１と、デジタルカメラ制御部２２から送られてくる撮影データを記憶する第１の記憶手段としてのメモリ５２及び第２の記憶手段としてのハードデイスク５３と、前記モニターテレビ５１、メモリ５２、ハードデイスク５３を制御するモニター制御部５４とを含む。
【００２４】
図１に示す６は電話回線等の通信手段を介して複写機１、撮影装置２、モニター装置５を制御するサービスセンターであり、サービスセンター６からの指令に基づいて、任意に撮影装置２を作動させることが可能となっている。
【００２５】
次に、図１に示した複写機管理システムの動作を、図２〜図４を参照して説明する。
【００２６】
図２は上記システムの動作を説明するためのフローチャートである。
【００２７】
まず、ステップ２０１（以下ステップをＳと略す）で、複写機１のＣＰＵは原稿ガラス上または自動原稿送り装置に原稿がセットされたか否かを、原稿検知センサー１３からの信号に基いて判断する。原稿がセットされていれば（Ｓ２０１にて、ＹＥＳ）、Ｓ２０５で使用者を撮影するための撮影処理を行う。撮影処理については後述する。原稿がセットされていなければ（Ｓ２０１にて、ＮＯ）、Ｓ２０２で原稿カバーが閉じられたか否かを、原稿カバー開閉検知センサー１４からの信号に基いて判断する。
【００２８】
原稿カバーが閉じられていれば（Ｓ２０２にて、ＹＥＳ）、Ｓ２０５で撮影処理を行う。閉じられていなければ（Ｓ２０２にて、ＮＯ）、Ｓ２０３でコインベンダー３１に料金が投入されたか否かを判断する。投入されていれば（Ｓ２０３にて、ＹＥＳ）、Ｓ２０５で撮影処理を行う。投入されていなければ（Ｓ２０３にて、ＮＯ）、Ｓ２０４で人体検知センサー４からの信号に基づいて使用者を検出したか否かが判断される。検出した場合には（Ｓ２０４にて、ＹＥＳ）、Ｓ２０５で撮影処理を行う。検出していなければ（Ｓ２０４にて、ＮＯ）、Ｓ２０１に戻る。
【００２９】
Ｓ２０５の撮影処理後、Ｓ２０６でプリントキー１５が押されたか否かを判断する。押されたときには（Ｓ２０６にて、ＹＥＳ）、Ｓ２０７でさらに撮影処理を行う。押されていない場合には（Ｓ２０６にて、ＮＯ）、押されるまで待つ。
【００３０】
こうして、使用者が人体検知センサー４による検出域内に進入したとき、コインベンダー３１に料金を投入したとき、原稿台または自動原稿送り装置に原稿をセットしたとき、セット後原稿カバーを閉じたとき、プリントキー１５が押されたときのタイミングで撮影処理が行われる。つまり、これらの動作は、使用者が複写機１の使用に際して必ず行わなければならないものであり、このような必然的になされる行為に基いて、複写機１が起動する前に確実に撮影を行うことができる。かつまた、それらのタイミングが発生する以前には、撮影処理は行われていないから、無駄な撮影データが生じることもない。
【００３１】
Ｓ２０７の撮影処理後、Ｓ２０８で複写機１は原稿の読み込み及びプリントを行う。そして、Ｓ２０９で、読み込んだ画像データとＲＯＭ１２ｂに予め記憶されている紙幣等の複写禁止原稿の特徴的部分の画像パターンとを照合し、違法コピーであるか否かを判断する。違法コピーと認識したときは（Ｓ２０９にて、ＹＥＳ）、Ｓ２１０でさらに撮影処理を行う。このように、本実施形態では、所定のタイミングでの撮影処理に加えて、違法コピーと認識された場合にも撮影が行われるから、使用者に関してさらに有効な情報を得ることができる。
【００３２】
Ｓ２１０の撮影処理後、本ルーチンは終了する。また、Ｓ２０９で違法コピーでないと判断された場合にも（Ｓ２０９にて、ＮＯ）、本ルーチンは終了する。
【００３３】
図３は、図２に示したフローチャートにおけるＳ２０５、Ｓ２０７、Ｓ２１０の各撮影処理の内容を示すフローチャートである。
【００３４】
まず、Ｓ３０１で、デジタルカメラ２１を作動させて撮影を開始したのち、Ｓ３０２で、デジタルカメラ制御部２２はデジタルカメラ２１による撮影データをモニター制御部５４に出力する。一方、Ｓ３０３で、ＣＰＵ１２ａは、時計ＩＣ１６による日付、時刻の情報及び複写に際して設定されたコピーモードの情報をモニター制御部５４に出力し、モニター制御部５４は送られてきたこれらの撮影データ及び情報をメモリ５２に格納する。
【００３５】
次に、Ｓ３０４で、モニター制御部５４はハードディスク５３の容量チェックを行い、ニアフル（この実施形態ではディスク使用率が８０％以上）か否かを判断する。ニアフルであれば（Ｓ３０４にて、ＹＥＳ）、Ｓ３０５でモニターテレビ５１に警告を表示する。なお、警告は視覚的表示によらず音による聴覚的表示によっても良い。そして、警告表示後、Ｓ３０６で、ハードディスク５３の容量がフル（ディスク使用率が１００％またはこれに近い値）か否かを判断する。一方、ハードディスク５３の容量がニアフルでないときも（Ｓ３０４にて、ＮＯ）、ハードディスク５３の容量がフルか否かを判断する。
【００３６】
ハードディスク５３の容量がフルのときは（Ｓ３０６にて、ＹＥＳ）、Ｓ３０７で最も古いデータを消去して、格納エリアを確保したのち、Ｓ３０８で前記撮影データ及び日付等の情報をハードディスク５３に格納したのち、本ルーチンを終了する。
【００３７】
また、ハードディスク５３の容量がフルでないときは（Ｓ３０６にて、ＮＯ）、そのままＳ３０８に進んで撮影データ及び日付等の情報をハードディスク５３に格納したのち、本ルーチンを終了する。
【００３８】
このように、本実施形態では、ハードディスク５３の容量をチェックしながら撮影データを格納するから、ハードディスク５３の容量不足により撮影データを格納できなくなる不都合をなくすことができる。
【００３９】
図４は図３の撮影処理におけるＳ３０１の撮影開始処理のサブルーチンを示すものである。
【００４０】
まずＳ４０１で、ＣＰＵ１２ａはシャッターＯＮ信号をデジタルカメラ制御部２２に送信する。デジタルカメラ制御部２２は、続いて、デジタルカメラ２１のシャッターをＯＮして、静止画像を取り込む。
【００４１】
図５はこの発明の第２実施形態に係る複写機管理システムの全体構成を示すブロック図である。
【００４２】
この実施形態では、撮影装置２がビデオカメラ２３とビデオカメラ制御部２４を有するものに構成されており、ビデオカメラ２３は所定の期間（この実施形態では複写機の電源が入っている期間）常時撮影を行うものとなされている。なお、複写機１、コインベンダー装置３、人体検知センサー４、モニター装置５、サービスセンター６の構成は図１に示したシステムのものと同一であり、同一の符号を付してその説明を省略する。
【００４３】
図５に示した複写機管理システムの動作を図６のフローチャートを参照して説明する。
【００４４】
まず、Ｓ６０１で、ＣＰＵ１２ａは複写機１の電源が投入されているか否かを判断する。投入されていれば（Ｓ６０１にて、ＹＥＳ）、Ｓ６０２でビデオカメラ制御部２４を介してビデオカメラ２３を作動させたのち、Ｓ６０３で、得られる撮影データをモニター制御部５４に連続的に出力し、メモリ５２に格納する。複写機１の電源が投入されていなければ（Ｓ６０１にて、ＮＯ）、投入されるまで待つ。
【００４５】
次に、Ｓ６０４で、ＣＰＵ１２ａは原稿ガラス上または自動原稿送り装置に原稿がセットされたか否かを、原稿検知センサー１３からの信号に基いて判断する。原稿がセットされていれば（Ｓ６０４にて、ＹＥＳ）、Ｓ６０８で撮影データをメモリ５２からハードディスク５３に出力するための出力処理を行う。出力処理については後述する。原稿がセットされていなければ（Ｓ６０４にて、ＮＯ）、Ｓ６０５で原稿カバーが閉じられたか否かを、原稿カバー開閉検知センサー１４からの信号に基いて判断する。
【００４６】
原稿カバーが閉じられていれば（Ｓ６０５にて、ＹＥＳ）、Ｓ６０８で出力処理を行う。閉じられていなければ（Ｓ６０５にて、ＮＯ）、Ｓ６０６でコインベンダー３１に料金が投入されたか否かを判断する。投入されていれば（Ｓ６０６にて、ＹＥＳ）、Ｓ６０８で出力処理を行う。投入されていなければ（Ｓ６０６にて、ＮＯ）、Ｓ６０７で人体検出センサー４からの信号に基づいて使用者を検出したか否かが判断される。検出した場合には（Ｓ６０７にて、ＹＥＳ）、Ｓ６０８で出力処理を行う。検出していなければ（Ｓ６０７にて、ＮＯ）、Ｓ６０４に戻る。
【００４７】
Ｓ６０８の出力処理後、Ｓ６０９でプリントキー１５が押されたか否かを判断する。押されたときには（Ｓ６０９にて、ＹＥＳ）、Ｓ６１０でさらに出力処理を行う。押されていない場合には（Ｓ６０９にて、ＮＯ）、押されるまで待つ。
【００４８】
こうして、図１に示した管理システムと同様に、使用者が人体検出センサー４による検出域内に進入したとき、コインベンダー３１に料金を投入したとき、原稿台または自動原稿送り装置に原稿をセットしたとき、セット後原稿カバーを閉じたとき、プリントキー１５が押されたときのタイミングで出力処理が行われる。
【００４９】
Ｓ６１０の出力処理後、Ｓ６１１で複写機１は原稿の読み込み及びプリントを行う。そして、Ｓ６１２で、読み込んだ画像データとＲＯＭ１２ｂに予め記憶されている紙幣等の複写禁止原稿の特徴的部分の画像パターンとを照合し、違法コピーであるか否かを判断する。違法コピーと認識したときは（Ｓ６１２にて、ＹＥＳ）、Ｓ６１３でさらに出力処理を行う。従って、本実施形態でも、所定のタイミングでの出力処理に加えて、違法コピーと認識された場合にも出力処理が行われるから、使用者に関してさらに有効な情報を得ることができる。
【００５０】
Ｓ６１３の出力処理後、本ルーチンは終了する。また、Ｓ６１２で違法コピーでないと判断された場合にも（Ｓ６１２にてＮＯ）、本ルーチンは終了する。
【００５１】
図７は、図６に示したフローチャートにおけるＳ６０８、Ｓ６１０、Ｓ６１３のハードディスク５３への各出力処理の内容を示すフローチャートである。
【００５２】
まず、Ｓ７０１で、ビデオカメラ２３が作動しているか否かを調べる。作動していれば（Ｓ７０１にて、ＹＥＳ）、Ｓ７０３で、ＣＰＵ１２ａは、時計ＩＣに１６よる日付、時刻の情報及び複写に際して設定されたコピーモードの情報をモニター制御部５４に出力し、モニター制御部５４は送られてきたこれらの情報を、ビデオカメラ２３からの撮影データに付加してメモリ５２に格納する。
【００５３】
次に、Ｓ７０４で、モニター制御部５４はハードディスク５３の容量チェックを行い、ニアフル（この実施形態ではディスク使用率が８０％以上）か否かを判断する。ニアフルであれば（Ｓ７０４にて、ＹＥＳ）、Ｓ７０５でモニターテレビ５１に警告を表示する。そして、警告表示後、Ｓ７０６で、ハードディスク５３の容量がフル（ディスク使用率が１００％またはこれに近い値）か否かを判断する。一方、ハードディスク５３の容量がニアフルでないときも（Ｓ７０４にて、ＮＯ）、ハードディスク５３の容量がフルか否かを判断する。
【００５４】
ハードディスク５３の容量がフルのときは（Ｓ７０６にて、ＹＥＳ）、Ｓ７０７にて最も古いデータを消去して、格納エリアを確保したのち、Ｓ７０８で撮影データをハードディスク５３に格納する。この撮影データは静止画像のデータでも良いし、短時間の動画像であっても良い。
【００５５】
また、ハードディスク５３の容量がフルでないときは（Ｓ７０６にて、ＮＯ）、そのままＳ７０８に進んでデータをハードディスク５３に格納したのち、本ルーチンを終了する。
【００５６】
また、Ｓ７０１で、ビデオカメラが作動しているか否かを判断した結果、作動していないときは（Ｓ７０１にて、ＮＯ）、Ｓ７０２でコピーを禁止したのち、本ルーチンを終了する。コピー禁止の方法としては、プリントキー１５の操作を不可能にするとか、複写機１の動作を停止させる等の方法がある。
【００５７】
このようにして、ハードディスク５３に必要な情報のみが格納されるから、情報管理はハードディスク５３に対してのみ行えば良い。また、万一何らかの原因でハードディスク５３に必要な情報が格納されていない場合があっても、メモリ５２に格納されている撮影データから使用者の情報を得ることができる。
【００５８】
以上に本発明の実施形態を説明したが、本発明は上記実施形態に限定されるものではない。例えば、使用者が人体検出センサー４による検出域内に進入したとき、コインベンダー３１に料金を投入したとき、原稿台または自動原稿送り装置に原稿をセットしたとき、セット後原稿カバーを閉じたとき、プリントキー１５が押されたときのタイミングで撮影処理または出力処理を行うようにしたが、これに限定されることはなく、コピー終了後原稿カバーを開いたタイミングその他のタイミングを採択してもよい。また、前述した複数のタイミングの全てのタイミングで撮影処理または出力処理を行ってもよいし、前述した複数のタイミングからいくつかを選択して、その選択したタイミングのみで撮影処理または出力処理を行ってもよい。
【００５９】
また、例えば、図１の複写機管理システムにおいて、デジタルカメラ２１に代えてビデオカメラを用い、所定のタイミングで動画データや静止画データを格納するように構成しても良い。
【００６０】
【発明の効果】
この発明の１つによれば、複写機の使用に際して使用者により必然的になされる行為に基く所定のタイミングにて撮影を行うから、使用者が複写機を使用するときには、それが不正コピーであるか否かを問わず確実に撮影を行うことができる。その結果、使用者全てについて撮影を行うことができ、使用者に関する撮影情報の欠落を防止でき、追跡調査時の情報の漏れや抜けを防止することができる。
【００６１】
しかも、複写機使用時の所定のタイミングで撮影を行うから、常時撮影装置を作動させておく場合にくらべて、有効な撮影画像を少ない量で効率的に得ることができ、使用者の特定作業や撮影画像の管理を簡素化できる。
【図面の簡単な説明】
【図１】この発明の一実施形態に係る複写機管理システムの全体構成を示すブロック図である。
【図２】図１の複写機管理システムの動作を示すフローチャートである。
【図３】図２のフローチャートにおける撮影処理のサブルーチンを示すフローチャートである。
【図４】図３のフローチャートにおける撮影開始処理のサブルーチンを示すフローチャートである。
【図５】この発明の他の実施形態に係る複写機管理システムの全体構成を示すブロック図である。
【図６】図５の複写機管理システムの動作を示すフローチャートである。
【図７】図６のフローチャートにおける記憶装置への出力処理のサブルーチンを示すフローチャートである。
【符号の説明】
１…複写機
２…撮影装置
３…コインベンダー装置
４…人体検知センサー
５…モニター装置
６…サービスセンター
１２ａ…ＣＰＵ
１３…原稿検知センサー
１４…原稿カバー開閉検知センサー
１５…プリントキー
１６…時計ＩＣ
２１…デジタルカメラ
２２…デジタルカメラ制御部
２３…ビデオカメラ
２４…ビデオカメラ制御部
３１…コインベンダー
３２…コインベンダー制御部
５１…モニターテレビ
５２…メモリ
５３…ハードディスク
５４…モニター制御部
【図１】
0003594472.tif 000002
【図２】
0003594472.tif 000003
【図３】
0003594472.tif 000004
【図４】
0003594472.tif 000005
【図５】
0003594472.tif 000006
【図６】
0003594472.tif 000007
【図７】
0003594472.tif 000008